(57)【特許請求の範囲】
【請求項１】
スキャン・維持電極、維持電極及びアドレス電極に提供された電力を回収した後、回収された電力を制御信号に応答して再び前記電極に提供するためのプラズマディスプレイパネルテレビジョンの電力回収方法において、
１）回収電力供給時間の許容可能な最大可変範囲を設定するための段階と、
２）前記回収電力供給時間の始点と終点とを示す第１基準値と第２基準値とを記憶させる段階と、
３）前記最大可変範囲の内でだけ前記最大可変範囲の始点より所定のクロック信号を順次にカウントするための段階と、
４）前記段階３）でのカウント値を前記第１基準値及び第２基準値と夫々周期的に比較し、前記カウント値と前記第１基準値とが等しい時である第１時間と前記カウント値と前記第２基準値とが等しいときである第２時間とを各々検出するための段階と、そして
５）前記第１時間から前記第２時間までの時間のあいだに前記回収電力を前記電極に再び提供するための制御信号を作り出すための段階を具備し、前記第１基準値と第２基準値とは外部から使用者が可変的に設定することが出来ることを特徴とするプラズマディスプレイパネルテレビジョンの電力回収方法。
【請求項２】
スキャン・維持電極、維持電極及びアドレス電極に提供された電力を回収した後、回収された電力を制御信号に応答して再び前記電極に提供するためのプラズマディスプレイパネルテレビジョンの電力回収装置において、
回収電力供給時間の許容可能な最大可変範囲を決める可変範囲パルスを発生するための第１手段と、
前記可変範囲パルスによりエネーブル（ｅｎａｂｌｅ）され、第１クロック信号をカウントしてカウントされた値を周期的に出力するための第２手段と、
前記制御信号の上昇タイミングを決めるための第１基準値を発生するための第３手段と、
前記制御信号の下降タイミングを決めるための第２基準値を発生するための第４手段と、
前記カウントされた値を前記第１基準値と周期的に比較し、前記カウントされた値が前記第１基準値と同じくなるとき、出力信号の論理レベルをローからハイに反転させる第５手段と、
前記カウントされた値を前記第２基準値と周期的に比較し、前記カウントされた値が前記第２基準値と同じくなるとき、出力信号の論理レベルをハイからローに反転させる第６手段と、そして
前記第５手段と第６手段との出力信号を論理積して前記制御信号を発生するための第７手段を具備し、前記第１基準値と第２基準値とは外部から使用者が可変的に設定することが出来ることを特徴とするプラズマディスプレイパネルテレビジョンの電力回収装置。
【請求項３】
前記第３手段は外部で決まる第１所定時間の間だけスイッチング動作をする第１スイッチング手段と、前記第１スイッチング手段のスイッチング回数をカウントして前記第１基準値を発生するための第１カウント手段とを有することを特徴とする請求項２に記載のプラズマディスプレイパネルテレビジョンの電力回収装置。
【請求項４】
前記第４手段は外部で決まる第２所定時間の間だけスイッチング動作をする第２スイッチング手段と、前記第２スイッチング手段のスイッチング回数をカウントして前記第２基準値を発生するための第２カウント手段とを有することを特徴とする請求項２に記載のプラズマディスプレイパネルテレビジョンの電力回収装置。
【発明の詳細な説明】
【０００１】
技術分野
本発明はプラズマディスプレイパネル（PDP）システムに関するものであり、特に、ＰＤＰの電極らを駆動するために必要な電力を効率的に使用することが出来る方法と装置とに関するものである。
【０００２】
背景技術
一般的に、ＰＤＰは放電セルに加えられる駆動電圧の形式により大きく交流（ＡＣ）形のＰＤＰと直流（ＤＣ）形のＰＤＰとに分類される。ＡＣ形のＰＤＰは正弦波の交流電圧或いはパルス電圧により駆動されるが、ＤＣ形のＰＤＰは直流電圧により駆動される。また、ＡＣ形のＰＤＰは電極が誘電体で覆われているので、放電のとき、イオン衝撃を受けなく、ＤＣ形より受命が長く、分極（ｐｏｌａｒｉｚａｔｉｏｎ）により誘電体の表面に発生される壁電荷（ｗａｌｌ  ｃｈａｒｇｅ）を記憶する。
【０００３】
大画面のテレビジョンに主に使用されるカラーＡＣ形ＰＤＰは前面と背面とから成り、前面は透明なガラス基板に透明電極であるスキャン・維持電極（Ｙ電極）と維持電極（Ｘ電極）とが平行に設計されている。また、前記背面のガラスにはガスを封入するためのセル空間が形成され、ＲＧＢ電極が設計される。
【０００４】
ＰＤＰを駆動するためにはＸ電極とＹ電極とのあいだに直流電圧を周期的に提供して放電を維持する必要がある。これらの２個の電極はコンデンサとして動作するので、前記２個の電極に提供された電力が完璧に消耗されない。従って、ＰＤＰはＰＤＰの電力の消耗を減らすためにＸ電極とＹ電極とのあいだに残留されている電荷を回収する。このように電力の消耗を減らすためにＸ及びＹ電極に電力を提供した後、この提供された電力を回収し、回収された電力を再びＸ及びＹ電極に提供する回路を“電力回収回路”と言う。
【０００５】
電力回収回路により回収された電力は次の周期で電極駆動のために提供される直流高電圧と重なって提供される。このとき、電力の効率的な使用のために回収された電力が提供されるタイミングは前記直流高電圧が提供されるタイミングと関連して非常に重要なことである。
【０００６】
即ち、回収電力の提供タイミングが直流高電圧の提供タイミングより速い場合には、回収電力が提供されて消耗された後に直流高電圧が提供されるので、提供された電圧の波形が歪曲され、回収電力の再活用が非効率的である。これと反対に、回収電力の提供タイミングが直流高電圧の提供タイミングより遅い場合にも、回収電力が充分に供給される前に直流高電圧が供給されるので回収電力の再使用が非効率的になる。
【０００７】
ところが、従来の電力回収回路において、回収電力の提供タイミングは電力回収回路のハードウェアの構成によりその値が固定されるので、回収電力が効率的に活用することが出来ない。
【０００８】
発明の開示
したがって、本発明は上述したような問題点を解決するために案出されたもので、電力回収回路を用いて回収したプラズマディスプレイパネルの電極駆動電力を再び提供する場合において、提供タイミングをプラズマディスプレイパネルの特性に合うように使用者が外部で適切に可変させることが出来る方法と装置とを提供することである。
【０００９】
前記のような目的を達成するために本発明は、スキャン・維持電極、維持電極及びアドレス電極に提供された電力を回収した後、回収された電力を制御信号に応答して再び前記電極に提供するためのプラズマディスプレイパネルテレビジョンの電力回収方法において、
１）回収電力供給時間の許容可能な最大可変範囲を設定するための段階と、
２）前記回収電力供給時間の始点と終点とを示す第１基準値と第２基準値とを記憶させる段階と、
３）前記最大可変範囲の内でだけ前記最大可変範囲の始点より所定のクロック信号を順次にカウントするための段階と、
４）前記段階３）でのカウント値を前記第１基準値及び第２基準値と夫々周期的に比較し、前記カウント値と前記第１基準値とが等しい時である第１時間と前記カウント値と前記第２基準値とが等しいときである第２時間とを各々検出するための段階と、そして
５）前記第１時間から前記第２時間までの時間のあいだに前記回収電力を前記電極に再び提供するための制御信号を作り出すための段階を具備し、前記第１基準値と第２基準値とは外部から使用者が可変的に設定することが出来ることを特徴とするプラズマディスプレイパネルテレビジョンの電力回収方法を提案する。
【００１０】
前記のような目的を達成するために本発明は、スキャン・維持電極、維持電極及びアドレス電極に提供された電力を回収した後、回収された電力を制御信号に応答して再び前記電極に提供するためのプラズマディスプレイパネルテレビジョンの電力回収装置において、
回収電力供給時間の許容可能な最大可変範囲を決める可変範囲パルスを発生するための第１手段と、
前記可変範囲パルスによりエネーブル（ｅｎａｂｌｅ）され、第１クロック信号をカウントしてカウントされた値を周期的に出力するための第２手段と、
前記制御信号の上昇タイミングを決めるための第１基準値を発生するための第３手段と、
前記制御信号の下降タイミングを決めるための第２基準値を発生するための第４手段と、
前記カウントされた値を前記第１基準値と周期的に比較し、前記カウントされた値が前記第１基準値と同じくなるとき、出力信号の論理レベルをローからハイに反転させる第５手段と、
前記カウントされた値を前記第２基準値と周期的に比較し、前記カウントされた値が前記第２基準値と同じくなるとき、出力信号の論理レベルをハイからローに反転させる第６手段と、そして
前記第５手段と第６手段との出力信号を論理積して前記制御信号を発生するための第７手段を具備し、前記第１基準値と第２基準値とは外部から使用者が可変的に設定することが出来ることを特徴とするプラズマディスプレイパネルテレビジョンの電力回収装置を提案する。
【００１１】
前記第３手段は外部で決まる第１所定時間の間だけスイッチング動作をする第１スイッチング手段と、前記第１スイッチング手段のスイッチング回数をカウントして前記第１基準値を発生するための第１カウント手段とを有する。前記第４手段は外部で決まる第２所定時間の間だけスイッチング動作をする第２スイッチング手段と、前記第２スイッチング手段のスイッチング回数をカウントして前記第２基準値を発生するための第２カウント手段とを有する。前記第１スイッチング手段と前記第２スイッチング手段とはトグルスイッチで構成される。使用者が最上の画質がディスプレイされるまでトグルスイッチを操作することにより最適の提供タイミングを設定することが出来る。
結局、本発明の装置は外部で最適の提供タイミングを決定するようにする。従って、特定の電力回収回路が本発明の装置と結合すると、電極の駆動電力を効率的に使用することが出来る。
【００１２】
発明の実施の形態
以下、図面を参照して本発明の実施例による交流形プラズマディスプレイパネルシステムの電力回収回路のスイッチングタイミングを制御する方法と装置との構成と動作とを詳細に説明する。
【００１３】
図１で、一般的なＡＣ形のカラーＰＤＰテレビジョンはデータの処理に関連されたオーディオ・ビデオ部、アナログ・デジタル変換部、メモリ部及びデータインターフェース部（示されない）を有する。前記一般的なＡＣ形のカラーＰＤＰ―ＴＶは前記各部を通じて処理されたＲＧＢデータを３電極面放電カラーＰＤＰ２００に画像として再現するための上部及び下部アドレス電極駆動部１５０−１、１５０−２、スキャン及び維持駆動部１６０、タイミング制御部１７０、高電圧駆動回路部１８０、及びＡＣ−ＤＣ変換部１９０を有する。
【００１４】
上部アドレス電極駆動部１５０−１はデータインターフェース部より受け入れたＲＧＢデータの“ハイ”、“ロー”により３電極面放電カラーＰＤＰ２００の奇数番目のアドレス電極ラインにアドレスパルスを夫々供給し、下部アドレス電極駆動部１５０−２はデータインターフェース部より受け入れたＲＧＢデータの“ハイ”、“ロー”により３電極面放電カラーＰＤＰ２００の偶数番目のアドレス電極ラインにアドレスパルスを夫々供給する。
【００１５】
スキャン及び維持電極駆動部１６０は３電極面放電カラーＰＤＰ２００のスキャン及び維持電極（Ｙ電極）ラインにスキャンパルスと維持パルスとを夫々供給する。
【００１６】
タイミング制御部１７０はＰＤＰシステムの制御に必要な各種のロジック制御パルスを発生し、特に本発明に係る電力回収のロジック制御パルスらもタイミング制御部１７０より発生されて高電圧駆動回路部１８０に供給される。
【００１７】
高電圧駆動回路部１８０はＹ電極駆動部１８２、Ｚ電極駆動部１８４、Ｘ電極駆動部１８６で構成される。各電極駆動部１８２，１８４，１８６はタイミング制御部１７０より入力されるロジック制御パルスによって直流高電圧を該当される電極に提供する。高電圧駆動回路部１８０はタイミング制御部１７０より出力される各種のロジック制御パルスにより直流電圧供給部１９０から供給されるＤＣ電圧を組合して上部及び下部アドレス電極駆動部１５０−１、１５０−２とスキャン及び維持電極駆動部１６０とで要求される高電圧制御パルスを発生して３電極面放電カラーＰＤＰ２００を駆動することが出来るようにする。また、データインターフェース部よりアドレス電極駆動部１５０−１，１５０−２に提供されるデータストリームも適合な電圧レベルに高めて３電極面放電カラーＰＤＰ２００に選択的に記入が可能にする。
【００１８】
直流電圧供給部１９０はシステムの各部で要求される直流電源を供給し、交流電源２２０Ｖ  ＡＣ、６０Ｈｚを入力として用いることが出来る。
【００１９】
３電極面放電カラーＰＤＰ２００は表示サイズが６４０ｘ３（Ｒ，Ｇ，Ｂ）ｘ４８０であるものを使う。３電極の中で、維持パルスが提供されるＸ電極は共通に連結されてバス電極とも言い、スキャン及び維持電極（Ｙ）はＹ１からＹ４８０までの４８０ラインの電極で構成されて４８０ラインを順次にスキャンすることが出来るようになり、Ｚ電極は１個のピクセルにＲ、Ｇ及びＢに対応する３個の電極が具備されて全体的に２０４０ラインを有する。
【００２０】
図２（Ａ）はＰＤＰ−ＴＶで階調を表示する方法を説明するための図であり、横軸は時間を示す。ＰＤＰでは放電状態或いは非放電状態の２個の状態しかないので、１個のフィールドを８個のサブフィールドに分けて放電回数を差別して画像の階調を表現する。このとき、各サブフィールドは固定された期間の“アドレス区間”と段階別に時間が増加される“放電維持区間”とから成り、この放電維持区間は２ｎ形態（ｎ＝０〜７）に増加する。そして、維持区間の組合により０から２５５までのスケール（即ち、８ビットスケール）を表すことが出来る。垂直同期Ｖｓｙｎｃの間に存在する１個のフィールドは８個のサブフィールドに区分され、各サブフィールドでの動作は３個の段階にできる。第１段階は全画面記入段階（ｗｒｉｔｉｎｇ  ｓｔｅｐ）或いは消去段階である。この段階では以前サブフィールドの放電維持の後、選択された画素に残っている壁電荷を全部消去或いは選択された画素に消去された壁電荷を全部充電させる初期化を行う。第２段階はデータ記入段階である。この段階では、前記ＰＤＰがＹ電極（Ｙ１〜Ｙ４８０）に順次にスキャンパルスをシフトさせながらＺ電極を通じて該当データをライン単位に記入或いは消去して画素に選択的に壁電荷を形成させる。第３段階は放電維持の段階である。この段階では、前記ＰＤＰはＸ電極とＹ電極とのあいだに交代に維持パルスを提供して壁電荷が形成された画素の放電を維持させる。図２の（Ｂ）と（Ｃ）とは、Ｘ電極とＹ電極との直流高電圧の波形を示している。前記提供された電圧の大きさは放電開示電圧より低く、最低の維持電圧より高くなければならなく、約１８０Ｖくらいである。
【００２１】
図３は本発明による電力回収回路の回路構成を示した回路図である。この電力回収回路３００は回収制御パルスｅｒＬと提供制御パルスｅｒＨのロジックレベルによって該当ＦＥＴ（ｆｉｅｌｄ  ｅｆｆｅｃｔ  ｔｒａｎｓｉｓｔｏｒ）を駆動するためのＦＥＴ駆動部４０２、ＦＥＴ駆動部４０２の出力によりターンオンされ、電極に残留する電荷がコンデンサＣ１に回収されることが出来る経路を提供するための回収ＦＥＴＱ１、回収された電荷を貯蔵するためのコンデンサＣ１、ＦＥＴ駆動部４０２の出力によりターンオンされると、コンデンサＣ１に貯蔵された回収電荷が電極に再び提供されることが出来る経路を提供するための提供ＦＥＴＱ２を重要な構成要素として有する。回収制御パルスｅｒＬと提供制御パルスｅｒＨとはタイミング制御部１７０により供給される。
【００２２】
図３において、タイミング制御部１７０より回収制御パルスｅｒＬが入力されると、回収ＦＥＴＱ１がターンオンされる。これにより、電極に蓄積された高電位の電荷がコイルＬ１と回収ＦＥＴＱ１とを通じてコンデンサＣ１に貯蔵される。回収された電荷がコンデンサＣ１に蓄積されている状態でタイミング制御部１７０より提供制御パルスｅｒＨが入力されると、これにより、コンデンサＣ１に蓄積された電荷は提供ＦＥＴＱ２とコイルＬ２とを通じて電極に再び提供される。このような電荷の回収と提供との動作が周期的に反復される。
【００２３】
図４は電力回収回路の動作を説明するためのロジック制御パルスの波形図である。
直流電圧提供部１９０より出力される直流高電圧ＤＣ＿ＨＶは維持電圧の提供を制御するための維持電圧制御パルスｓｕｓＨがハイである区間でだけＸ電極とＹ電極とに提供される。従って、Ｘ電極とＹ電極とに提供される維持電圧ｓｕｓ＿Ｖは図４の（Ｄ）に示されたような波形を有する。このとき、ロジック制御パルスｓｕｓＬはほかの電極に維持電圧が提供されないように保障する。一方、Ｘ電極とＹ電極とに提供された駆動電力のコンデンサＣ１への回収タイミングを決定する回収制御パルスｅｒＬと回収された駆動電力の電極への提供タイミングを決定する提供制御パルスｅｒＨとは夫々図４の（Ｅ）と（Ｆ）に示されたようである。提供制御パルスｅｒＨのタイミングは維持電圧制御パルスｓｕｓＨの上昇エッジに重なっており、回収制御パルスｅｒＬのタイミングは維持電圧制御パルスｓｕｓＨの下降エッジの後に位置する。提供制御パルスｅｒＨのパルスオン時間ｔ１と維持電圧制御パルスｓｕｓＨのパルスオン時間ｔ０との時間差△ｔのサイズは回収電力の再活用の効率に影響を与える。ところが、先に説明したように、提供制御パルスｅｒＨのタイミングと係って従来にはパルスオンになる時間ｔ１を外部で可変することができない。図４の（Ｇ）（Ｈ）にしめされたように、回収電力の提供タイミングが速いと、電極の放電維持のために提供される維持電圧ｓｕｓ＿Ｖの提供タイミングとの時間差が大きくなるので、コンデンサＣ１より電極に提供された回収電圧Ｖｃ１は維持電圧が提供される前にある程度消耗され、回収電力の再活用が非効率的になる。これとは反対に、回収電力の提供タイミングが遅いと、図４の（Ｉ）（Ｊ）に示されたように、回収電圧Ｖｃ１が電極に充分に供給される前に維持電圧ｓｕｓ＿Ｖが提供され、やはり回収電力の再活用の効率が低くなる。従って、本発明は図５に示されたように、回収電力の提供タイミングを使用者が可変的に調節することが出来る提供タイミング制御回路７００を提案する。
【００２４】
図５の提供タイミング制御回路７００は図３の電力回収回路３００の回収電力の提供タイミングを決定する提供制御パルスｅｒＨを発生する。提供タイミング制御回路７００はタイミング制御部１７０の内に具現され、図３の電力回収回路３００は高電圧駆動回路部１８０の内に具現されることが望ましい。提供タイミング制御回路７００は提供制御パルスｅｒＨを電力回収回路３００に提供して提供ＦＥＴＱ２をターンオンさせることによりコンデンサＣ１に回収された電力がＸ電極とＹ電極に提供されるようにする。このために提供タイミング制御回路７００は可変範囲パルス発生部７０２、カウンタ７０４、第１スイッチＳＷ１、第１アップカウンタ７０６、第２スイッチＳＷ２、第２アップカウンタ７０８、上昇パルス発生部７１０、下降パルス発生部７１２、そしてＡＮＤゲート７１４を有する。
【００２５】
第１スイッチＳＷ１は第１アップカウンタ７０６のカウント値を増加させるためのものであり、第２スイッチＳＷ２は第２アップカウンタ７０８のカウント値を増加させるためのものである。前記２個のスイッチＳＷ１、ＳＷ２はトグルスイッチであり、使用者によりスイッチング操作されることが出来るように設置される。
【００２６】
可変範囲パルス発生部７０２は本発明に基づいて電力提供タイミングを調節する場合に許容される最大可変範囲（時間領域）を設定するためのものとして、システムより提供される２ＭＨｚの第１クロック信号により動作し、最大可変範囲に対応するカウントエネーブル（ｃｏｕｎｔ  ｅｎａｂｌｅ）信号を発生してカウンタ７０４をエネーブルさせる。
【００２７】
カウンタ７０４はシステムより提供される２５ＭＨｚの第２クロック信号をカウントするカウンタとして、可変範囲パルス発生部７０２の最大可変範囲の内で０から３７までをカウントする。即ち、一般的に許容可能な最大可変範囲は１．５マイクロ秒くらいであり、２５ＭＨｚでカウントする場合、この範囲では約３８までカウントすることが出来る。従って、カウンタ７０４は５ビットのバイナリカウンタが適切である。エネーブル信号のレベルが反転されると、カウンタ７０４はリセットされて０から再びカウントを始める。
第１及び第２クロック信号の周波数は図面に示されたようである。従って、カウンタ７０４が最大可変範囲の内で１．５マイクロ秒をカウントすることが出来るように第２クロック信号の周波数が第１クロック信号の周波数がもっと高いことであるとすると、その周波数は自由に選定することが出来る。
【００２８】
第１アップカウンタ７０６は提供制御パルスｅｒＨの上昇始点を決定する第１基準値をカウントする。第１基準値は第１スイッチＳＷ１のスイッチング回数により可変的に定まり、リセットスイッチＳＷ３のスイッチング動作により初期値にリセットされることが出来る。初期値は０であるが、ほかの任意の値になれる。
【００２９】
上昇パルス発生部７１０は第１アップカウンタ７０６より第１基準値を受け入れた後、カウンタ７０４より伝達されるカウント値を第１基準値と周期的に比較する。上昇パルス発生部７１０は上の二つの値が同じくなる前には“ロー”を出力し、カウンタ７０４のカウント値が設定されたカウント値に達すると“ハイ”を出力する。
【００３０】
第２アップカウンタ７０８は提供制御パルスｅｒＨの下降始点を決定するための第２基準値をカウントする。第２基準値は第２スイッチＳＷ２のスイッチング回数により可変的に定まり、リセットスイッチＳＷ４のスイッチング動作により初期値にクリアさせる。初期値は０であるが、ほかの任意の値になれる。
【００３１】
下降パルス発生部７１２は“ハイ”を出力しながら第２アップカウンタ７０８のカウント値が設定された後、カウンタ７０４のカウント値を第２アップカウンタ７０８の設定カウント値と比較し、カウンタ７０４のカウント値が設定カウント値に達すると、“ロー”を出力する。上昇パルス発生部７１０と下降パルス発生部７１２とは比較器のロジックで構成される。
【００３２】
ＡＮＤゲート７１４は上昇パルス発生部７１０の出力と下降パルス発生部７１２の出力とを論理積し、回収された電力をＸ電極とＹ電極とに提供するための提供制御パルスｅｒＨを図３の電力回収回路３００の入力段に提供する。
【００３３】
本発明において、提供制御パルスｅｒＨの上昇或いは下降タイミングを決定するためのカウンタとしてアップカウンタを使用しているが、ダウンカウンタを使用することも出来るし、プリセットが可能なカウンタを使用して任意の初期値をプリセットして使用することも出来る。
【００３４】
図６は図５に示された提供タイミング制御回路７００に係る信号らのタイミング図である。直流電圧提供部１９０より出力される直流高電圧ＤＣ＿ＨＶは維持電圧制御パルスｓｕｓＨがハイである区間でだけＸ電極とＹ電極との維持電圧ｓｕｓ＿Ｖとして提供される。この維持電圧ｓｕｓ＿Ｖは電力回収回路３００のコンデンサＣ１に充電された回収電圧Ｖｃ１と重なってＸ電極とＹ電極とには充電電圧ｍｉｘ＿ｓｕｓ＿Ｖが提供される。図６の（Ｂ）に示された波形はほかの電極の維持電圧をローレベルにするためのロジック制御パルスｓｕｓＬを示す。
【００３５】
可変範囲パルス発生部７０２が出力するカウンタエネーブル信号Ｐ＿ｓｅｒＨは提供タイミングを可変することが出来る最大範囲を決定する信号であり、図６の（Ｃ）に例示的に最大可変範囲を維持電圧制御パルスｓｕｓＨの上昇エッジより約１マイクロ秒くらい速い始点から維持電圧制御パルスｓｕｓＨの上昇エッジの後、約０．５マイクロ秒くらい経った始点までの約１．５マイクロ秒にした場合を示したことである。１．５マイクロ秒の可変範囲内でエネーブルされて２５ＭＨｚのクロック信号をカウントすると、先に説明したように、カウンタ７０４は０から約３７まで順次にカウントアップした信号ｃｎｔ＿ｓｅｒＨを出力する。
【００３６】
図６の（Ｆ）は上昇パルス発生部７１０の出力波形Ｓ＿ｓｅｒＨを示す。第１アップカウンタ７０６の第１基準値が使用者により１２に設定された場合、カウンタ７０４の出力が１２に達すると、“ロー”から“ハイ”に変化されて維持されることを示す。図６の（Ｇ）は下降パルス発生部７１２が出力する出力波形Ｅ＿ｓｅｒＨとして、第２アップカウンタ７０８の第２基準値が使用者により２８に設定された場合にカウンタ７０４の出力が２８に達すると、“ハイ”から“ロー”に変化されて維持されることを示す。従って、上昇パルス発生部７１０の出力波形Ｓ＿ｓｅｒＨと下降パルス発生部７１２の出力波形Ｅ＿ｓｅｒＨとを論理積すると、図６の（Ｈ）に示されたような提供制御パルスｅｒＨが得られる。このように得られた提供制御パルスｅｒＨが電力回収回路３００に提供されると、コンデンサＣ１に回収された電圧Ｖｃ１はカウントエネーブル信号Ｐ＿ｓｅｒＨの始点から２５ＭＨｚの第２クロックを１２回カウントした点から電極に提供され、その後、約２５番目のクロックをカウントした点よりは維持電圧ｓｕｓ＿Ｖと重なって電極に提供される。
【００３７】
このとき、提供制御パルスｅｒＨの上昇タイミングは使用者が第１スイッチＳＷ１のスイッチング回数を調節することにより可変することができ、下降タイミングは第２スイッチＳＷ２のスイッチング回数を調節することにより可変することが出来る。使用者はＰＤＰ−ＴＶの出力画面を見ながら第１と第２スイッチＳＷ１、ＳＷ２とを操作して提供タイミングを決めるようになる。このように本発明は回収電力を再び提供するための提供制御パルスｅｒＨのタイミングを調節することが出来る。従って、使用者が各ＰＤＰの特性に合うように提供タイミングを最適に調節して効果的に使用することが出来る。
【００３８】
以上、本発明を前記した実施例で具体的に説明したが、本発明はこれに限定されることがなく、当業者の通常の知識の範囲内でその変形でも改良が可能である。
【図面の簡単な説明】
【図１】  図１はＰＤＰの構成において電極駆動に関する回路構成を示したブロック図である。
【図２】  図２はＰＤＰの階調を表示する方法を説明するための図である。
【図３】  図３は本発明による電力回収回路の回路構成を示した回路図である。
【図４】  図４は電力回収回路の動作を説明するためのロジック制御パルスの波形図である。
【図５】  図５は本発明の一実施例による電力回収回路のスイッチングタイミングを可変的に調節することが制御回路の構成を示したブロック図である。
【図６】  図６は本発明に関連された信号らの波形を示した波形図である。
【図１】
0004353638.tif 000002
【図２】
0004353638.tif 000003
【図３】
0004353638.tif 000004
【図４】
0004353638.tif 000005
【図５】
0004353638.tif 000006
【図６】
0004353638.tif 000007